(57)【要約】      （修正有）【課題】被介護者毎に身体の所定状態の履歴管理及び記録が可能であり、介護施設における被介護者の身体拘束を含む所定状態の時間の管理及び記録が極めて容易な所定状態時間管理システム及び携帯型所定状態時間管理装置を提供する。【解決手段】介護施設における被介護者の身体拘束を含む所定状態の時間を管理し記録する所定状態時間管理システムに用いられる携帯型所定状態時間管理装置１０であって、被介護者の所定状態に対応して、予め割り当てられた状態信号を切り替えるためのスイッチ１２を備えた所定状態信号発生器と、所定状態信号発生器からの状態信号を受信するデータロガーと、を有し、所定状態信号発生器の状態信号を切り替えることで、被介護者の所定状態に対応して時間を管理し記録するようにした。【選択図】図１
0003214671.tif 000002
【実用新案登録請求の範囲】
【請求項１】
介護施設における被介護者の身体拘束を含む所定状態の時間を管理し記録する所定状態時間管理システムに用いられる携帯型所定状態時間管理装置であって、
被介護者の所定状態に対応して、予め割り当てられた状態信号を切り替えるためのスイッチを備えた所定状態信号発生器と、
前記所定状態信号発生器からの状態信号を受信するデータロガーと、
を有し、前記所定状態信号発生器の状態信号を切り替えることで、被介護者の所定状態に対応して時間を管理し記録するようにした、携帯型所定状態時間管理装置。
【請求項２】
請求項１記載の携帯型所定状態時間管理装置と、
前記携帯型所定状態時間管理装置のデータロガーからログデータを出力するためのログデータ出力装置と、
を有してなり、介護施設における被介護者の身体拘束を含む所定状態の時間を管理し記録する、所定状態時間管理システム。
【考案の詳細な説明】
【技術分野】
【０００１】
本考案は、介護施設における被介護者の身体拘束を含む所定状態の時間を管理し記録する所定状態時間管理システム、及び前記所定状態時間管理システムに用いられる携帯型所定状態時間管理装置に関する。
【背景技術】
【０００２】
近年、老人介護や障害者の介護施設等の社会福祉法人等が多数各地域に設立されている。これら施設の介護者が本来の介護作業の他に、介護内容の一部を法的な制約から管理し記録に残す必要が有る。特に、被介護者に身体拘束を行う場合は、身体拘束に関する記録の作成が義務づけられているが、被介護者が車椅子に乗車した際の安全ベルトの使用等も法的に身体拘束に該当する為、管理記録が必要となる。この作業が介護者の負担となり、生産性を悪化させる原因となっている。
【０００３】
また、従来、介護施設においては被介護者ではなく、介護者のスケジュール管理が行われており、例えば、特許文献１は、バーコードリーダーとコンピュータプログラムを用い、介護者による介護実績を管理する介護実績管理システムを提案している。しかしながら、特許文献１記載の方法はシステム構築が複雑であり、さらに高コストであるといった問題があった。
【先行技術文献】
【特許文献】
【０００４】
【特許文献１】特開２００６−３３１１１５号公報
【考案の概要】
【考案が解決しようとする課題】
【０００５】
本考案は上記した問題点に鑑みなされたもので、被介護者毎に身体の所定状態の履歴管理及び記録が可能であり、介護施設における被介護者の身体拘束を含む所定状態の時間の管理及び記録が極めて容易な所定状態時間管理システム、及び前記所定状態時間管理システムに用いられる携帯型所定状態時間管理装置を提供することを目的とする。
【課題を解決するための手段】
【０００６】
本考案の携帯型所定状態時間管理装置は、介護施設における被介護者の身体拘束を含む所定状態の時間を管理し記録する所定状態時間管理システムに用いられる携帯型所定状態時間管理装置であって、被介護者の所定状態に対応して、予め割り当てられた状態信号を切り替えるためのスイッチを備えた所定状態信号発生器と、前記所定状態信号発生器からの状態信号を受信するデータロガーと、を有し、前記所定状態信号発生器の状態信号を切り替えることで、被介護者の所定状態に対応して時間を管理し記録するようにした、携帯型所定状態時間管理装置である。
【０００７】
本考案の所定状態時間管理システムは、本考案の携帯型所定状態時間管理装置と、前記携帯型所定状態時間管理装置のデータロガーからログデータを出力するためのログデータ出力装置と、を有してなり、介護施設における被介護者の身体拘束を含む所定状態の時間を管理し記録する、所定状態時間管理システムである。
【考案の効果】
【０００８】
本考案によれば、被介護者毎に身体の所定状態の履歴管理及び記録が可能であり、介護施設における被介護者の身体拘束を含む所定状態の時間の管理及び記録が極めて容易な所定状態時間管理システム、及び前記所定状態時間管理システムに用いられる携帯型所定状態時間管理装置を提供することができるという著大な効果を奏する。また、本考案の携帯型所定状態時間管理装置は、安価で作成可能であり、さらに携帯可能な為、被介護者毎に準備し、被介護者と共に移動可能である。さらに、本考案の所定状態時間管理システムは、複雑なシステムや高価な装置が不要であり、低コストで実現できるという顕著な効果も奏する。
【図面の簡単な説明】
【０００９】
【図１】本考案の携帯型所定状態時間管理装置の一つの実施の形態を示す概略説明図である。
【図２】図１の携帯型所定状態時間管理装置における所定状態信号発生器からデータロガーへの状態信号の流れを示すブロック図である。
【図３】本考案の所定状態時間管理システムにより出力されたログデータの第一の例を示すグラフである。
【図４】本考案の所定状態時間管理システムにより出力されたログデータの第二の例を示すグラフである。
【考案を実施するための形態】
【００１０】
以下に本考案の実施の形態を図１〜図４に基づいて説明するが、これらは例示的に示されるもので、本考案の技術思想から逸脱しない限り種々の変形が可能なことはいうまでもない。
【００１１】
図１は本考案の携帯型所定状態時間管理装置の一つの実施の形態を示す概略説明図であり、図２は、図１の携帯型所定状態時間管理装置における所定状態信号発生器からデータロガーへの状態信号の流れを示すブロック図である。本考案の携帯型所定状態時間管理装置は、介護施設における被介護者の身体拘束を含む所定状態の時間を管理し記録する所定状態時間管理システムに用いられる。なお、本考案において、所定状態の時間の管理とは、所定状態の時間の履歴管理を意味する。
【００１２】
図１において、符号１０は本考案の携帯型所定状態時間管理装置を示す。携帯型所定状態時間管理装置１０は、被介護者の所定状態に応じて、予め割り当てられた状態信号を切り替えるためのスイッチ１２を備えた所定状態信号発生器１６と、前記所定状態信号発生器１６からの状態信号を受信するデータロガー１８と、を有し、前記所定状態信号発生器１６の状態信号を切り替えることで、被介護者の所定状態に対応して時間を管理し記録するものである。符号１４は前記所定状態信号発生器１６及びデータロガー１８を収めたケースである。
【００１３】
前記所定状態信号発生器としては公知の状態信号発生器を広く使用可能である。前記所定状態信号発生器が発信する状態信号としては、アナログ信号及びデジタル信号のいずれでもよい。アナログ信号としては、例えば、抵抗値や電圧等の抵抗切替によるアナログ出力が好適である。また、デジタル信号としては、例えば、Ｉ／Ｏポートを用いたデジタル出力が好適である。
【００１４】
前記データロガーとしては公知のデータロガーを広く使用可能であり、例えば、温度データロガーが安価であり好適である。
【００１５】
図１において、前記ケース１４のスイッチ１２の切り替え位置には、番号付けがなされており、予め被介護者の拘束及び非拘束を含む所定状態を分類し、各所定状態を各番号に割り当て、被介護者の所定状態に応じてスイッチ１２を切り替えることにより前記所定状態信号発生器の状態信号を切り替え、それにより被介護者の身体拘束を含む所定状態の時間や活動履歴を管理し記録することができる。例えば、アナログ信号の場合には、抵抗値の異なる信号を被介護者の所定状態に対応して予め割り当てておき、スイッチ１２を切り替えることにより前記所定状態信号発生器の状態信号を切り替えることができる。
なお、図１ではスイッチ１２の切り替え位置を番号で示したが、切り替え位置の表示方法は特に制限はなく、被介護者の所定状態やその他の略称を記載してもよい。
【００１６】
管理する被介護者の所定状態としては、例えば、拘束及び非拘束の２種の他、拘束及び非拘束に関し、さらに細分化してもよい。例えば、車椅子（拘束有・無）、ベッド（拘束有・無）、食事（拘束有・無）、トイレ（拘束有・無）、睡眠（拘束有・無）、テレビ鑑賞（拘束有・無）、遊戯（拘束有・無）等の各種活動履歴を含めた身体拘束の有無による身体拘束を含む所定状態の時間の管理や、身体拘束の種類（例えば、車椅子等への安全ベルトによる拘束、自傷防止手袋（ミトン）、ベッド柵等）による身体拘束を含む所定状態の時間の管理、及びこれらを組み合わせた身体拘束を含む所定状態の時間の管理等が挙げられる。
【００１７】
図１では、スイッチ１２として、凹部に形成された回転型スイッチを示したが、本考案において、スイッチ１２の形状に制限はなく、信号切替が可能であればいかなる形状でもよいものである。また、図１のスイッチ１２では、１２個の信号切替を行うスイッチを示したが、信号切替の個数に制限はなく、少なくともＯＮ／ＯＦＦの２種の信号切替が可能なものが用いられ、記録する被介護者の所定状態数に応じて、適宜、適切な数を選択すればよい。
【００１８】
本考案の所定状態時間管理システムは、本考案の携帯型所定状態時間管理装置と、前記携帯型所定状態時間管理装置のデータロガーからログデータを出力するためのログデータ出力装置と、を有してなり、介護施設における被介護者の身体拘束を含む所定状態の時間を管理し記録する、所定状態時間管理システムである。
【００１９】
前記ログデータ出力装置としては、データロガーからログデータを出力可能な装置であれば特に制限はなく、コンピュータ、例えば、ＰＣやＰＤＡ、携帯電話等の公知のログデータ出力装置を用いることができる。
【００２０】
図３は、本考案の所定状態時間管理システムにより出力されたログデータの第一の例を示すグラフである。図３の例では、ＯＮ／ＯＦＦの２種の信号切替を有するスイッチを含む携帯型所定状態時間管理装置を用い、ＯＮを拘束、ＯＦＦを非拘束に割り当て、被介護者の拘束及び非拘束の状態に応じてスイッチを切り替え、被介護者の拘束及び非拘束の２種の所定状態を記録した。図３の例では、データロガーとして、状態信号発生器からのデータを横軸の時間軸上に縦軸の状態信号データとして記録する温度記録計（記録時間間隔：１分）を用いた。
図３に示した如く、本考案の所定状態時間管理システムにより、極めて容易に被介護者の身体拘束の時間を管理し記録することができた。
【００２１】
図４は、本考案の所定状態時間管理システムにより出力されたログデータの第二の例を示すグラフである。図４の例では、図１に示した携帯型所定状態時間管理装置を用い、被介護者の７種の所定状態［非拘束状態（テレビ鑑賞、食事、睡眠、遊戯、その他の非拘束状態）、拘束状態（車椅子拘束、車椅子拘束以外の身体拘束）］に応じて予め割り当てられた状態信号を切り替えるためにスイッチを切り替え、被介護者の拘束及び非拘束の７種の所定状態を記録した。図４の例でも、図３の例と同様のデータロガーを用いた。図４において、横軸の単位は１０分であり、横軸の時間は、数値×１０分を意味する。また、図４において、非拘束はその他の非拘束状態を示し、その他の拘束は車椅子拘束以外の身体拘束を示す。
図４に示した如く、本考案の所定状態時間管理システムにより、極めて容易に被介護者の多種の身体拘束を含む所定状態の時間を管理し記録することができた。
【００２２】
本考案の携帯型所定状態時間管理装置は、小型に作成可能な為、被介護者が携帯可能である。携帯方法としては特に制限はなく、例えば、携帯型所定状態時間管理装置に紐を付け、被介護者の首に提げることができる。本考案では、被介護者一人に１台の専用の携帯型所定状態時間管理装置とし、被介護者毎に身体拘束を含む所定状態の管理及び記録をすることが好適である。
【符号の説明】
【００２３】
１０：携帯型所定状態時間管理装置、１２：スイッチ、１４：ケース、１６：所定状態信号発生器、１８：データロガー。
【図１】
0003214671.tif 000003
【図２】
0003214671.tif 000004
【図３】
0003214671.tif 000005
【図４】
0003214671.tif 000006